(57)【要約】  本技術は、有用な情報をより確実に得ることができるようにする撮像装置に関する。撮像装置には、被写体から入射した光を集光する光学系、光学系から入射した光を受光して光電変換することで撮像画像を撮像する撮像素子、および光学系と撮像素子の間に設けられ、撮像素子の表面を保護するカバーガラスが設けられている。また、カバーガラスは、撮像素子に対して傾斜するように配置されている。そのため、光学系およびカバーガラスを介して撮像素子に入射した光のうち、撮像素子で反射された光である迷光がカバーガラスに入射しても、その迷光の反射はカバーガラスにおいて撮像素子の低有害領域方向に反射されるので、認識有益領域における迷光により生じるフレアを低減させることができる。本技術は、車載カメラや天井設置型監視カメラ等に適用することができる。
2015012120.tif 000002
【特許請求の範囲】
【請求項１】
被写体から入射した光を集光する結像光学系と、
前記結像光学系により集光された前記光を受光して光電変換する撮像部と、
前記撮像部側の面が前記撮像部に対して傾斜するように前記結像光学系と前記撮像部との間に配置され、前記撮像部を保護する保護部材と
を備える撮像装置。
【請求項２】
前記撮像装置は車載カメラである
請求項１に記載の撮像装置。
【請求項３】
前記保護部材の前記撮像部側の前記面は、前記撮像部において反射されて前記保護部材に入射した前記光を、前記撮像部が前記光電変換することにより得られる撮像画像上の注目領域に対応する前記撮像部の領域から遠ざかる方向に向けて反射する
請求項２に記載の撮像装置。
【請求項４】
前記保護部材の前記撮像部側の前記面は、前記撮像部において反射されて前記保護部材に入射した前記光が再反射されるとき、前記撮像部から前記保護部材に入射する前記光の光路と、前記再反射された前記光の光路とが前記撮像部の受光面の法線に対して非対称となる傾斜角度を有する
請求項２に記載の撮像装置。
【請求項５】
前記保護部材の前記撮像部側の前記面は、前記撮像部において反射されて前記保護部材に入射した前記光が路面方向に再反射される傾斜角度を有する
請求項２に記載の撮像装置。
【請求項６】
前記保護部材における前記撮像部側の前記面は、前記撮像部の受光面に対して略４５度の角度をなすように配置されている
請求項３に記載の撮像装置。
【請求項７】
前記保護部材の前記撮像部側の前記面が向く方向に配置され、前記光を吸収する吸収部材をさらに備える
請求項６に記載の撮像装置。
【請求項８】
前記保護部材は、前記被写体から入射した前記光の所定の波長成分を遮断または反射する光学フィルタとして機能する
請求項１に記載の撮像装置。
【発明の詳細な説明】
【技術分野】
【０００１】
本技術は撮像装置に関し、特に、有用な情報をより確実に得ることができるようにした撮像装置に関する。
【背景技術】
【０００２】
例えば、車両に設けた撮像装置に画像を撮像させ、得られた画像から抽出される情報を用いて、運転者に対する車両の運転補助を行なう技術が知られている。【０００３】
具体的には、運転補助を行なう技術として、画像から車道の白線を認識して車線逸脱の警告を発したり、車両の前後にいる他の車両や人を認識して衝突防止のために注意を促したりする技術がある。【０００４】
このように撮像装置により車両の周囲を撮像すれば、運転補助のための有用な情報を得ることができる。このような有用な情報をより確実に得るためには、注目すべき被写体が鮮明に写っている画像を得る必要がある。【０００５】
ところで、撮像装置に関する技術として、撮像素子の前面に設けられるカバーガラスにおける光の入射側の面を撮像素子に対して傾けることで、カバーガラス内部で反射する光による干渉を低減させる技術が提案されている（例えば、特許文献１参照）。【０００６】
また、撮像装置に被写体を照明するための光源が設けられているものもあり、この光源からの光がカメラカバーで反射して撮像装置の撮像面に入り込むのを防止するために、カメラカバーを傾けて固定させる技術も提案されている（例えば、特許文献２参照）。
【先行技術文献】
【特許文献】
【０００７】
【特許文献１】特開平０８−１４５６１９号公報
【特許文献２】特開平１１−２６０９号公報
【発明の概要】
【発明が解決しようとする課題】
【０００８】
しかしながら、上述した技術では、被写体そのものが発する高輝度光源を含む場合には効果がなく、有用な情報をより確実に得ることが困難であった。例えば、被写体から入射した強い光が撮像装置内部で反射され、撮像素子により撮像されると、その２次反射光により高輝度光源周辺の画像上にフレア（迷光）が発生してしまい、被写体の重要対象箇所の視認性が著しく損なわれてしまうことがある。【０００９】
本技術は、このような状況に鑑みてなされたものであり、有用な情報をより確実に得ることができるようにするものである。
【課題を解決するための手段】
【００１０】
一般的に、撮像素子はその受光面に被写体の像を結像させて映像信号を得ることから、その表面にゴミ等の光路遮蔽有害物が落ちると、映像信号に光路遮蔽による欠陥画像が発生する。そのため、撮像素子の受光面は、結像面より離れた位置に配置されたゴミ等の不純物侵入から保護する光学的透過な保護部材で覆われる。【００１１】
本技術の一側面の撮像装置は、被写体から入射した光を集光する結像光学系と、前記結像光学系により集光された前記光を受光して光電変換する撮像部と、前記撮像部側の面が前記撮像部に対して傾斜するように前記結像光学系と前記撮像部との間に配置され、前記撮像部を保護する保護部材とを備える。【００１２】
前記撮像装置を車載カメラとすることができる。【００１３】
前記保護部材の前記撮像部側の前記面には、前記撮像部において反射されて前記保護部材に入射した前記光を、前記撮像部が前記光電変換することにより得られる撮像画像上の注目領域に対応する前記撮像部の領域から遠ざかる方向に向けて反射させることができる。【００１４】
前記保護部材の前記撮像部側の前記面が、前記撮像部において反射されて前記保護部材に入射した前記光が再反射されるとき、前記撮像部から前記保護部材に入射する前記光の光路と、前記再反射された前記光の光路とが前記撮像部の受光面の法線に対して非対称となる傾斜角度を有するようにすることができる。【００１５】
前記保護部材の前記撮像部側の前記面が、前記撮像部において反射されて前記保護部材に入射した前記光が路面方向に再反射される傾斜角度を有するようにすることができる。【００１６】
前記保護部材における前記撮像部側の前記面を、前記撮像部の受光面に対して略４５度の角度をなすように配置することができる。【００１７】
撮像装置には、前記保護部材の前記撮像部側の前記面が向く方向に配置され、前記光を吸収する吸収部材をさらに設けることができる。【００１８】
前記保護部材を、前記被写体から入射した前記光の所定の波長成分を遮断する光学フィルタとして機能させることができる。【００１９】
本技術の一側面においては、被写体から入射した光を集光する結像光学系と、前記結像光学系により集光された前記光を受光して光電変換する撮像部とを備える撮像装置において、前記撮像部を保護する保護部材が、前記撮像部側の面が前記撮像部に対して傾斜するように前記結像光学系と前記撮像部との間に配置される。
【発明の効果】
【００２０】
本技術の一側面によれば、有用な情報をより確実に得ることができる。
【図面の簡単な説明】
【００２１】
【図１】本技術の適用例を示す図である。
【図２】本技術の適用例を示す図である。
【図３】従来の撮像装置の構成を示す図である。
【図４】撮像画像上のフレアについて説明する図である。
【図５】本技術を適用した撮像装置の構成を示す図である。
【図６】撮像画像上のフレアについて説明する図である。
【発明を実施するための形態】
【００２２】
以下、図面を参照して、本技術を適用した実施の形態について説明する。
【００２３】
〈第１の実施の形態〉
〈本技術の概要について〉
本技術は、例えば車両に搭載され、運転補助等を目的とする情報を得るための画像を撮像する撮像装置に関するものである。
【００２４】
本技術を適用した撮像装置の利用例として、例えば図１に示すように、乗用車等の車両１１の前面に車載カメラなどの撮像装置２１−１が設けられており、この撮像装置２１−１により、車両１１の前方を撮像するとする。例えば、撮像装置２１−１は運転補助を目的として車両１１前方の画像を撮像する。
【００２５】
この例では、車両１１は図中、右側から左側の方向に走行しており、車両１１の前方からは、対向車線にいる車両１２が車両１１に向かって近付いてきている。また、図１に示す例では夜間であるため、車両１２はヘッドライトを点灯した状態で走行しており、車両１２が被写体の１つとして撮像装置２１−１により撮像される。
【００２６】
また、本技術を適用した撮像装置の他の利用例として、図２に示す例も考えられる。なお、図２において図１における場合と対応する部分には同一の符号を付してあり、その説明は省略する。
【００２７】
図２に示す例では、車両１１が図中、左側から右側方向に走行しており、車両１１の後方では、車両１２がヘッドライトを点灯した状態で、車両１１と同方向に走行している。
【００２８】
この例では、車両１１のサイドミラー近傍に、つまり車両１１の側面に車載カメラなどの撮像装置２１−２が設けられており、撮像装置２１−２により車両１１の後方が撮像される。また、車両１１の後部、例えば車両１１のリアバンパー近傍には、車載カメラなどの撮像装置２１−３が設けられており、撮像装置２１−３により車両１１の後方が撮像される。これらの撮像装置２１−２および撮像装置２１−３によっても、車両１２が被写体の１つとして撮像される。
【００２９】
なお、以下、車両１１の周囲、特に車両１１から比較的遠方を撮像する撮像装置２１−１乃至撮像装置２１−３を特に区別する必要のない場合、単に撮像装置２１とも称することとする。
【００３０】
撮像装置２１により撮像された撮像画像は、例えば車両１１を運転する運転者の運転補助のために用いられる。具体的には、例えば撮像画像から人や車両１２、白線などが検出され、その検出結果に応じて衝突注意や車線逸脱の警告などの警報が発せられる。また、撮像装置２１−１乃至撮像装置２１−３の例では、後方接近車両の判断を行い、急な車線変更や急ブレーキ動作を行うと追突危険状態になるため、その注意警報補助等の利用が想定される。
【００３１】
ところで、図１や図２に示したような用途で、車両の周囲を撮像する車載カメラなどの撮像装置では、撮像装置内部に設けられた撮像素子（イメージセンサ）とレンズの間には、撮像素子を保護するためのカバーガラスが配置されている。
【００３２】
例えば従来の撮像装置では、図３に示すように被写体からの光を集光するレンズ５１と、被写体からの光を受光して光電変換することで、撮像画像を撮像する撮像素子５２との間に、撮像素子５２の受光面（表面）を保護するためのカバーガラス５３が設けられている。
【００３３】
この例では、撮像素子５２はレンズ５１から入射する光を受光する受光部６１と、受光部６１を支持する基板６２とから構成されており、受光部６１の表面、すなわち受光面と、カバーガラス５３の表面とが平行になるように各素子が配置されている。つまり、カバーガラス５３の表面は、受光部６１の表面の法線に対してほぼ垂直となるようになされている。
【００３４】
そのため、図中、実線および点線の矢印で表すように、レンズ５１により集光されて受光部６１に入射した被写体からの光の一部は、受光部６１表面で反射されて迷光となり、さらにその迷光はカバーガラス５３で反射されて再び受光部６１に入射する。
【００３５】
このようにして、被写体から受光部６１に入射した光の一部が、受光部６１表面で拡散反射され、さらにカバーガラス５３との間で反射を繰り返して拡散されて、受光部６１により受光されると、撮像装置により撮像された撮像画像上にフレア（高輝度の迷光による明るい画像のにじみ）が発生する。
【００３６】
例えば車両に設置された撮像装置が、その車両の前方を撮像したとすると、図４に示す撮像画像が得られる。
【００３７】
図４の例では、撮像画像上には、撮像装置が設置された車両の前方を走行している車両１２が被写体として写っている。また車両１２のハイビームヘッドランプからは強い光が発せられているため、その光が撮像装置の受光部６１とカバーガラス５３の間で反射され、ハイビームヘッドランプ近傍にフレアＦＬ１１およびフレアＦＬ１２が発生している。
【００３８】
このようなフレアＦＬ１１やフレアＦＬ１２の発生により、図４に示す撮像画像では、前方にある車両１２の部分、特に車両１２の図中、ライト周辺の視認性が著しく損なわれてしまっている。この例では、車両１２と道路（路面）とが接している部分の領域の視認性が、フレアＦＬ１１およびフレアＦＬ１２により低下してしまっている事例を示している。
【００３９】
一般に、路面に設置した対象物を認識する際に、対象物の状態把握の重要な手掛かりのひとつが、路面との接地面位置である。この例でみる様に、フレアの発生は、そのままでは車両１２やさらにはその前方の路面に人等の障害物があった場合に、この路面との接地位置がフレアによる高輝度光の妨害を受けて識別が的確にできなくなる恐れがある。
【００４０】
このように、撮像画像上にフレアが発生すると撮像画像の品質が低下し、撮像画像から運転補助のための有用な情報になり得る路面接地位置の判別をすることが困難になってしまう。
【００４１】
例えば図４に示す例では、車両１２と道路（路面）とが接している部分の視認性が低下しているため、運転補助のために用いられる路面上の障害物やさらには道路の白線等を認識できなくなってしまう恐れがある。
【００４２】
特に、前方や後方の車両の下半分の部分、すなわち車両と路面とが接する領域近傍は走行に有害となる障害物等の存在確認が重要な領域であり、車両の下半分の部分の領域は運転者にとって注意する必要がある領域である。撮像装置で平面路面上の特定位置までの距離の推定を行うには路面接地点の正確な位置が求められることから、対象車両１２やその前方にあるかもしれない歩行者や自動二輪車等のその他障害物の路面接地部を正確にとらえる必要がある。したがって、このような運転者に必要となる情報を多く含む画像領域、つまり注目すべき領域の視認性がフレアにより低下してしまうと、有用な情報を確実に得ることが困難となる。
【００４３】
また、例えば車両１２のハイビームヘッドランプの光が強い場合には、撮像画像上においてフレアＦＬ１１やフレアＦＬ１２によって、車両１２の輪郭も認識できなくなってしまうこともある。そのような場合には、車両１２より接近する位置の路面に直立した人や自動二輪車等の車両１２より接近した位置の路面接面を認識できなくなってしまう恐れがある。
【００４４】
以上のように、従来の撮像装置では、撮像装置に比較的強い光が入射すると、フレアが生じて車両１２の路面接地面近傍の情報が失われ、車両運行上で有用な歩行者・自転車・二輪自動車両等（図示はしていない）の有無判断と距離推定や白線情報、対象車両の距離推定の為の車輪輪郭，路面接地位置等の情報を確実に得ることができなくなってしまうことがあった。
【００４５】
〈撮像装置の構成例〉
そこで、本技術では例えば図５に示すように、カバーガラスを撮像素子に対して斜めに取り付ける構成とすることにより、フレア光による妨害迷光を低減して撮像画像から有用な情報をより確実に得ることができるようにした。
【００４６】
図５には、図１や図２に示した車両１１に設けられる車載カメラ等である撮像装置２１のより詳細な構成が示されている。すなわち、本技術を適用した撮像装置２１は、図５に示すように光学系９１、カバーガラス９２、撮像素子９３、および迷光吸収体９４から構成される。
【００４７】
なお、図５では撮像装置２１の図中、左側には車両１２が撮像画像の被写体の例として示されており、撮像装置２１の図中、右側には車両１２等の被写体の像ＩＭ１１が示されている。
【００４８】
光学系９１は、１または複数のレンズ等から構成される結像光学系であり、車両１２等の被写体から入射した光を撮像素子９３上に結像させる。
【００４９】
カバーガラス９２は、光学系９１と撮像素子９３との間に配置され、撮像素子９３の受光面を保護する保護部材として機能するとともに、近赤外線カットフィルタやローパスフィルタなどの光学フィルタとしても機能する。
【００５０】
カバーガラス９２の面Ｓ１１と面Ｓ１２は、撮像素子９３に対して所定の角度をなすように斜めに傾けられている。さらに、面Ｓ１１と面Ｓ１２の少なくとも一方の面に蒸着等により光学膜を形成（成膜）させることで、カバーガラス９２が光学フィルタとして機能するようにしてもよい。また、例えばカバーガラス９２は平板形状となっており、カバーガラス９２の光学系９１側の面Ｓ１１と、カバーガラス９２の撮像素子９３側の面Ｓ１２とが平行になるように形成されてもよい。本図では、カバーガラス９２と受光部１０２の間の空間が封止されたものとして描かれていない。
【００５１】
撮像素子９３は、例えばCCD（Charge Coupled Device）センサなどの固体撮像素子から構成され、カバーガラス９２を介して光学系９１から入射した光を受光して光電変換することで、撮像画像を撮像する。より詳細には、撮像素子９３は基板１０１と、その基板１０１に固定された受光部１０２とを備えており、光学系９１から入射する光が受光部１０２の受光面上で結像するように受光部１０２が配置されている。
【００５２】
したがって、例えば図中、左側に示す車両１２が被写体となる場合、車両１２からの光は、光学系９１およびカバーガラス９２を通って受光部１０２表面に入射する。このとき、車両１２からの光は光学系９１により集光されるので、受光部１０２表面には、図中、右側に示すように反転して投影像ＩＭ１１が結像される。この例では、被写体である車両１２の上下が反転した像ＩＭ１１が得られるようになされている。
【００５３】
さらに、迷光吸収体９４は、カバーガラス９２の図中、下側に配置されており、被写体から光学系９１を通って撮像素子９３に入射した光のうち、撮像素子９３とカバーガラス９２で傾斜反射した光を吸収するセンサ反射迷光吸収体である。迷光吸収体９４はカバーガラス９２の面Ｓ１２の光軸から傾けた方向に配置されている。
【００５４】
ところで、車両１１に設置された撮像装置２１が、その車両１１の前方を撮像したとすると、例えば図６に示す撮像画像が得られる。
【００５５】
図６の例では、撮像画像上には、撮像装置２１が設置された車両１１の前方を走行している車両１２が被写体として写っている。また車両１２のハイビームヘッドランプからは強い光が発せられているため、その光が受光部１０２とカバーガラス９２の間で反射されて、ハイビームヘッドランプ近傍にフレアＦＬ２１およびフレアＦＬ２２が発生している。
【００５６】
しかし、撮像装置２１では、カバーガラス９２の表面、特に受光部１０２側の面Ｓ１２が、被写体からの光を受光する受光部１０２の表面（センサ面）に対して平行となるように取り付けられるのではなく、斜めになるように取り付けられている。また、撮像装置２１には、迷光を吸収する迷光吸収体９４も設けられている。
【００５７】
そのため、図６に示す例では、フレアＦＬ２１やフレアＦＬ２２が路面と逆方向の撮像画像の上方向、つまり撮像画像における空の方向にずれており、車両１２と路面の接している部分の視認性が図４の場合と比較して向上している。その結果、撮像画像から路面近傍の有用な情報をより確実に得ることができるようになっている。また、フレアＦＬ２１やフレアＦＬ２２の強度（光量）が図４の場合と比較して低減されており、車両１２周囲の視認性も向上している。
【００５８】
具体的には図５に示した撮像装置２１では、面Ｓ１２の法線と、受光部１０２の表面の法線とがほぼ４５度の角度をなし、かつ面Ｓ１２が図５中、下側、つまり鉛直方向を向くように固定されおり、面Ｓ１２が向く方向には迷光吸収体９４が配置されている。
【００５９】
このように、カバーガラス９２の法線を受光部１０２の表面に対して実空間上の路面方向に傾けて配置することで、図５中、実線および点線の矢印で表されるように、光学系９１から受光部１０２に入射し、受光部１０２表面で反射された高輝度光（以下、単に迷光とも称する）の少なくとも一部は、再び受光部１０２の被写体近傍域に戻らないように反射または吸収される。
【００６０】
例えば面Ｓ１２は図５中、右斜め下方向を向くように傾けられているので、点線の矢印で表されるように、受光部１０２表面で反射されて高輝度迷光となった光が面Ｓ１２で反射されて受光部１０２に戻ってきたとしても、その迷光の入射位置は図５中、下方向にずれることになる。換言すれば、面Ｓ１２は、受光部１０２で反射されて戻ってきた光を、路面方向に再反射させる。ここで、迷光の入射位置がずらされる下方向とは、受光部１０２上において、撮像画像上の車両１２と路面とが接する領域などの注目すべき領域に対応する受光部１０２の領域から遠ざかる方向である。
【００６１】
面Ｓ１２を傾斜させて設けることで、受光部１０２に戻ってきた迷光は、撮像画像の枠外に出るか、または迷光を完全に除外できないとしても撮像画像における上方向にずれることになる。これは、図５中、右側に示したように受光部１０２表面では、被写体の上下が反転して像ＩＭ１１が結像されるため、迷光の入射位置が図５中、下方向に移動すると、その迷光は撮像画像上では図６中、上方向に移動することになるからである。
【００６２】
このような理由から、図６の例では図４の例と比べて、フレアＦＬ２１およびフレアＦＬ２２が撮像画像の上方向に移動している。面Ｓ１２が受光部１０２から面Ｓ１２に入射した迷光を実空間上の路面方向に再反射させる傾斜角度を有していれば、上下反転投影された受光部１０２表面では、つまり撮像画像上では、面Ｓ１２に入射した迷光は、面Ｓ１２での再反射によって路面方向とは逆方向の空方向に移動する。
【００６３】
特にカバーガラス９２、つまり面Ｓ１２を傾斜させる角度を、例えば受光部１０２表面に対してほぼ４５度とすると、迷光がカバーガラス９２で反射されても、その迷光の大半が受光部１０２には入射しないようになるので望ましい。なお、カバーガラス９２の面Ｓ１２は、受光部１０２で反射されて面Ｓ１２に入射した光が面Ｓ１２で再反射されるときに、受光部１０２で反射されて面Ｓ１２に入射する光の光路と、面Ｓ１２で再反射された光の光路とが受光部１０２表面の法線に対して非対称となる傾斜角度を有していればよい。
【００６４】
上述したように、車両１２と路面とが接する領域近傍には障害物等の存在確率が高く、車両１２の下半分の領域は運転者にとって注意する必要がある領域である。そのため、このような運転者の関心の高い領域から迷光の像が遠ざかる方向に、受光部１０２における迷光の入射位置をずらすことにより、撮像画像における注目すべき領域の視認性を向上させることができる。
【００６５】
すなわち、撮像画像において、障害物のある関心領域については、より高画質な画像を得ることができるので、より有用な情報を確実に得ることができるようになり、運転者に対する車両の運転支援に貢献することができる。
【００６６】
なお、迷光の入射位置をずらすことにより、撮像画像において迷光の移動先の領域の画質が、迷光の移動前と比較して低下することがあるが、運転者にとって比較的関心の低い領域については高い画質を要求する必要はないので、運転補助のための情報の取得に支障が生じることはない。
【００６７】
また、撮像装置２１では、面Ｓ１２が迷光吸収体９４の方向を向くように配置されている。すなわち、面Ｓ１２において迷光が迷光吸収体９４に向かって反射されるように面Ｓ１２と迷光吸収体９４が配置されている。したがって、カバーガラス９２において受光部１０２の領域外に向けて反射された迷光の多くは迷光吸収体９４に吸収される。これにより、カバーガラス９２で反射され、さらに撮像装置２１内の筐体などで反射されて受光部１０２に戻ってくる迷光の光量を大幅に低減させることができる。
【００６８】
図６の例では、カバーガラス９２を受光部１０２に対して傾斜させたことや、迷光吸収体９４を配置することで、図４の例と比較してフレアＦＬ２１およびフレアＦＬ２２の強度が弱くなっており、撮像画像上の被写体の視認性が向上している。
【００６９】
さらに、例えばカバーガラス９２を近赤外カットフィルタなど、所定の波長帯域の光、つまり所定の波長成分を遮断または反射する光学フィルタとして機能させる場合、面Ｓ１１ではなく面Ｓ１２側に光学膜を成膜させると、より効果的にフレアを低減させることができる。
【００７０】
例えば、受光部１０２からカバーガラス９２に入射した迷光の一部は、面Ｓ１２において受光部１０２側に反射され、迷光の残りの一部は面Ｓ１２を透過して面Ｓ１１に入射する。そして、面Ｓ１１に入射した迷光は、面Ｓ１１において受光部１０２側に反射される。
【００７１】
ここで、迷光を反射するカバーガラス９２の２つの面Ｓ１１および面Ｓ１２のうち、光学膜が形成されている面の反射率がより高くなる。
【００７２】
したがって、カバーガラス９２の面Ｓ１１に光学膜が形成されている場合、面Ｓ１１に入射した迷光の殆どは反射されることになるので、受光部１０２から面Ｓ１２に入射した迷光の大半が面Ｓ１２と面Ｓ１１で受光部１０２側に向かって反射されることになる。これに対して、面Ｓ１２に光学膜が形成されている場合には、面Ｓ１２を透過した迷光の一部は面Ｓ１１を透過するので、面Ｓ１１に光学膜が形成されている場合よりも、受光部１０２方向に向かって反射される迷光の光量は少なくなる。
【００７３】
以上のように、カバーガラス９２が受光部１０２に対して所定の角度をなすように、カバーガラス９２を傾斜させて固定することで、迷光により生じるフレアを低減させるとともに、注目すべき領域の視認性を向上させることができる。その結果、撮像装置２１により撮像された撮像画像から有用な情報をより確実に得ることができる。
【００７４】
なお、以上においては、撮像画像上においてフレアを上方向（鉛直方向上側）に移動させる例について説明したが、フレアを移動させる方向は、上方向に限らず、撮像画像上の左右方向など、どのような方向であってもよい。
【００７５】
また、本技術の実施の形態は、上述した実施の形態に限定されるものではなく、本技術の要旨を逸脱しない範囲において種々の変更が可能である。
【００７６】
さらに、本技術は、以下の構成とすることも可能である。
【００７７】
［１］
被写体から入射した光を集光する結像光学系と、
前記結像光学系により集光された前記光を受光して光電変換する撮像部と、
前記撮像部側の面が前記撮像部に対して傾斜するように前記結像光学系と前記撮像部との間に配置され、前記撮像部を保護する保護部材と
を備える撮像装置。
［２］
前記撮像装置は車載カメラである
［１］に記載の撮像装置。
［３］
前記保護部材の前記撮像部側の前記面は、前記撮像部において反射されて前記保護部材に入射した前記光を、前記撮像部が前記光電変換することにより得られる撮像画像上の注目領域に対応する前記撮像部の領域から遠ざかる方向に向けて反射する
［１］または［２］に記載の撮像装置。
［４］
前記保護部材の前記撮像部側の前記面は、前記撮像部において反射されて前記保護部材に入射した前記光が再反射されるとき、前記撮像部から前記保護部材に入射する前記光の光路と、前記再反射された前記光の光路とが前記撮像部の受光面の法線に対して非対称となる傾斜角度を有する
［１］または［２］に記載の撮像装置。
［５］
前記保護部材の前記撮像部側の前記面は、前記撮像部において反射されて前記保護部材に入射した前記光が路面方向に再反射される傾斜角度を有する
［２］に記載の撮像装置。
［６］
前記保護部材における前記撮像部側の前記面は、前記撮像部の受光面に対して略４５度の角度をなすように配置されている
［１］乃至［５］の何れかに記載の撮像装置。
［７］
前記保護部材の前記撮像部側の前記面が向く方向に配置され、前記光を吸収する吸収部材をさらに備える
［１］乃至［６］の何れかに記載の撮像装置。
［８］
前記保護部材は、前記被写体から入射した前記光の所定の波長成分を遮断または反射する光学フィルタとして機能する
［１］乃至［７］の何れかに記載の撮像装置。
【符号の説明】
【００７８】
１１  車両，  ２１−１乃至２１−３，２１  撮像装置，  ９１  光学系，  ９２  カバーガラス，  ９３  撮像素子，  ９４  迷光吸収体，  １０２  受光部
【図１】
2015012120.tif 000003
【図２】
2015012120.tif 000004
【図３】
2015012120.tif 000005
【図４】
2015012120.tif 000006
【図５】
2015012120.tif 000007
【図６】
2015012120.tif 000008
【国際調査報告】
2015012120.tif 000009
2015012120.tif 000010
2015012120.tif 000011
2015012120.tif 000012